(57)【特許請求の範囲】
【請求項１】
光ネットワークユニットＯＮＵが、第１の時間・波長分割多重ＴＷＤＭチャネルのアップリンク波長及び／又はダウンリンク波長を指示するための第１のＴＷＤＭチャネルのチャネル情報を取得することと、
前記ＯＮＵが、前記第１のＴＷＤＭチャネルのチャネル情報に基づいて、前記ＯＮＵのアップリンク波長及び／又はダウンリンク波長を前記第１のＴＷＤＭチャネルのアップリンク波長及び／又はダウンリンク波長に同調することと、を含み、
前記ＯＮＵが前記ＯＮＵのアップリンク波長及び／又はダウンリンク波長を前記第１のＴＷＤＭチャネルのアップリンク波長及び／又はダウンリンク波長に同調する前、
前記ＯＮＵが現在動作している第２のＴＷＤＭチャネルが正常であるか否かを判断することをさらに含み、前記第２のＴＷＤＭチャネルが異常である場合、前記ＯＮＵが前記ＯＮＵのアップリンク波長及び／又はダウンリンク波長を前記第１のＴＷＤＭチャネルのアップリンク波長及び／又はダウンリンク波長に同調する
チャネル切り替え方法。
【請求項２】
前記ＯＮＵのアップリンク波長及び／又はダウンリンク波長を前記第１のＴＷＤＭチャネルのアップリンク波長及び／又はダウンリンク波長に同調した後、
前記ＯＮＵが、前記ＯＮＵの業務を前記第１のＴＷＤＭチャネルにスイッチングすることをさらに含み、または、
前記ＯＮＵが前記第１のＴＷＤＭチャネルのチャネル情報を取得した後、
前記ＯＮＵが前記第１のＴＷＤＭチャネルのチャネル情報を記憶し、または、
前記ＯＮＵが前記第１のＴＷＤＭチャネルのチャネル情報を取得することは、
前記ＯＮＵが、前記複数のＴＷＤＭチャネルのアップリンク波長及び／又はダウンリンク波長と各ＴＷＤＭチャネルの予備ＴＷＤＭチャネルの対応関係を指示するための複数のＴＷＤＭチャネルのチャネル情報を受信することと、
前記ＯＮＵが、前記対応関係に基づいて、第２のＴＷＤＭチャネルに対応する予備ＴＷＤＭチャネルを前記第１のＴＷＤＭチャネルとして確定することと、を含み、または、
前記第１のＴＷＤＭチャネルのチャネル情報が、
前記第１のＴＷＤＭチャネルのチャネルマーク、前記第１のＴＷＤＭチャネルのアップリンク波長マーク及び／又はダウンリンク波長マーク、前記第１のＴＷＤＭチャネルのアップリンク波長値及び／又はダウンリンク波長値の中の少なくとも一つを含む
請求項１に記載の方法。
【請求項３】
前記第１のＴＷＤＭチャネルのチャネル情報はＯＬＴが周期的に一つ又は複数のＴＷＤＭチャネルで放送するものであり、前記一つ又は複数のＴＷＤＭチャネルが前記第２のＴＷＤＭチャネルを含み、または、
前記ＯＮＵが現在動作している前記第２のＴＷＤＭチャネルが正常であるか否かを判断することは、
前記ＯＮＵが、光回線終端装置ＯＬＴから送信された異常通知を受信することと、ここで、前記異常通知は前記ＯＬＴが前記第２のＴＷＤＭチャネルを介して前記第２のＴＷＤＭチャネルで動作している全てのＯＮＵのアップリンク信号を受信できない場合に前記第２のＴＷＤＭチャネルで動作している全てのＯＮＵに送信するものであり、
前記異常通知に基づいて、前記第２のＴＷＤＭチャネルが異常であると判断することと、を含み、または、
前記ＯＮＵが、前記第２のＴＷＤＭチャネルでダウンリンク信号を検出できない時間長が所定の時間長を超えるか否かを判断することと、
前記時間長が前記所定の時間長を超える場合、前記第２のＴＷＤＭチャネルが異常であると判断することと、を含み、または、
前記第１のＴＷＤＭチャネルのチャネル情報をＯＬＴが動的に更新して前記ＯＮＵに提供する
請求項２に記載の方法。
【請求項４】
前記第２のＴＷＤＭチャネルが正常であるか否かを判断する場合に前記第２のＴＷＤＭチャネルが異常であると確定することは、
前記ＯＮＵが、前記第２のＴＷＤＭチャネル上のダウンリンク信号同期ロスを検出し、
前記ＯＮＵがＯ６状態に進入し、タイマーＴ２を作動させ、
前記ＯＮＵが、前記タイマーＴ２がタイムアップする前にダウンリンク信号を受信できていない場合、前記第２のＴＷＤＭチャネルが異常であると確定する
請求項２に記載の方法。
【請求項５】
前記第２のＴＷＤＭチャネルが異常である場合、前記ＯＮＵが、前記ＯＮＵのアップリンク波長及び／又はダウンリンク波長を前記第１のＴＷＤＭチャネルのアップリンク波長及び／又はダウンリンク波長に同調することは、
前記ＯＮＵがＯ１状態に進入し、前記ＯＮＵのアップリンク波長及び／又はダウンリンク波長を前記第１のＴＷＤＭチャネルのアップリンク波長及び／又はダウンリンク波長に同調し、前記第１のＴＷＤＭチャネルで活性化し始めることと、又は
前記ＯＮＵがＯ１状態に進入し、タイマーＴ３を作動させ、タイマーＴ３がタイムアップする前に前記ＯＮＵがダウンリンク信号を受信できていない場合、前記ＯＮＵは波長同調状態であるＯ８状態に進入し、ここで、前記Ｏ８状態において、前記ＯＮＵは前記ＯＮＵのアップリンク波長及び／又はダウンリンク波長を前記第１のＴＷＤＭチャネルのアップリンク波長及び／又はダウンリンク波長に同調し、同調を完成した後、前記第１のＴＷＤＭチャネルを介してダウンリンク信号を受信し、前記ＯＮＵがダウンリンク信号の同期を完成した後にＯ４状態又はＯ５状態に進入することと、を含む
請求項４に記載の方法。
【請求項６】
前記ＯＮＵがＯ１状態又はＯ８状態に進入した場合、前記ＯＮＵの伝送収束レイヤー配置パラメータを保留し、
前記ＯＮＵが前記タイマーＴ３がタイムアップする前にダウンリンク信号を受信した場合、前記伝送収束レイヤー配置パラメータを消去する
請求項５に記載の方法。
【請求項７】
前記第２のＴＷＤＭチャネルが異常である場合、
ＯＬＴが、前記第２のＴＷＤＭチャネルで動作している全てのＯＮＵの伝送収束レイヤー配置情報を前記第１のＴＷＤＭチャネルに伝送することをさらに含む
請求項２に記載の方法。
【請求項８】
前記第２のＴＷＤＭチャネルが異常である場合、前記ＯＮＵが前記ＯＮＵのアップリンク波長及び／又はダウンリンク波長を前記第１のＴＷＤＭチャネルのアップリンク波長及び／又はダウンリンク波長に同調することは、
前記ＯＮＵが波長同調状態であるＯ８状態に進入し、ここで、前記Ｏ８状態において、前記ＯＮＵが前記ＯＮＵの伝送収束レイヤー配置パラメータを保留し、前記ＯＮＵのアップリンク波長及び／又はダウンリンク波長を前記第１のＴＷＤＭチャネルのアップリンク波長及び／又はダウンリンク波長に同調し、前記ＯＮＵ同調を完成した後、Ｏ４状態又はＯ５状態に進入することと、又は、
前記ＯＮＵが、前記ＯＮＵのアップリンク波長及び／又はダウンリンク波長を前記第１のＴＷＤＭチャネルのアップリンク波長及び／又はダウンリンク波長に同調し、前記ＯＮＵ同調を完成した後、Ｏ４状態又はＯ５状態に進入することと、を含み、または、
前記第２のＴＷＤＭチャネルが異常である場合、前記ＯＮＵが前記ＯＮＵのアップリンク波長及び／又はダウンリンク波長を前記第１のＴＷＤＭチャネルのアップリンク波長及び／又はダウンリンク波長に同調する前、
前記ＯＮＵが、ローカルに前記第２のＴＷＤＭチャネルのチャネル情報を記憶しているか否かを判断することをさらに含み、ローカルに前記第２のＴＷＤＭチャネルのチャネル情報を記憶していると判断した場合、前記ＯＮＵは前記ＯＮＵのアップリンク波長及び／又はダウンリンク波長を前記第１のＴＷＤＭチャネルのアップリンク波長及び／又はダウンリンク波長に同調する
請求項４に記載の方法。
【請求項９】
前記ＯＮＵがローカルに前記第２のＴＷＤＭチャネルのチャネル情報を記憶していないと判断した場合、
前記ＯＮＵがＯ１状態に進入することをさらに含む
請求項８に記載の方法。
【請求項１０】
第１の時間・波長分割多重ＴＷＤＭチャネルのアップリンク波長及び／又はダウンリンク波長を指示するための前記第１のＴＷＤＭチャネルのチャネル情報を取得するように構成される取得手段と、
前記第１のＴＷＤＭチャネルのチャネル情報に基づいて、光ネットワークユニットＯＮＵのアップリンク波長及び／又はダウンリンク波長を前記第１のＴＷＤＭチャネルのアップリンク波長及び／又はダウンリンク波長に同調するように構成される同調手段と、を含み、
前記ＯＮＵが現在動作している第２のＴＷＤＭチャネルが正常であるか否かを判断するように構成される第１の判断手段をさらに含み、前記第２のＴＷＤＭチャネルが異常である場合、前記同調手段が前記ＯＮＵのアップリンク波長及び／又はダウンリンク波長を前記第１のＴＷＤＭチャネルのアップリンク波長及び／又はダウンリンク波長に同調する
チャネル切り替え装置。
【請求項１１】
前記ＯＮＵの業務を前記第１のＴＷＤＭチャネルにスイッチングするように構成されるスイッチング手段をさらに含み、または、
前記第１のＴＷＤＭチャネルのチャネル情報を記憶するように構成される記憶手段をさらに含み、または、
前記取得手段は、
複数のＴＷＤＭチャネルのアップリンク波長及び／又はダウンリンク波長と各ＴＷＤＭチャネルの予備ＴＷＤＭチャネルの対応関係を指示するための前記複数のＴＷＤＭチャネルのチャネル情報を受信するように構成される第１の受信ユニットと、
前記対応関係に基づいて、前記第２のＴＷＤＭチャネルに対応する予備ＴＷＤＭチャネルを前記第１のＴＷＤＭチャネルとして確定するように構成される第１の確定ユニットと、を含み、または、
前記第１のＴＷＤＭチャネルのチャネル情報は、
前記第１のＴＷＤＭチャネルのチャネルマーク、前記第１のＴＷＤＭチャネルのアップリンク波長マーク及び／又はダウンリンク波長マーク、前記第１のＴＷＤＭチャネルのアップリンク波長値及び／又はダウンリンク波長値の中の少なくとも一つを含む
請求項１０に記載の装置。
【請求項１２】
前記第１のＴＷＤＭチャネルのチャネル情報は、ＯＬＴが周期的に一つ又は複数のＴＷＤＭチャネルで放送するものであって、ここで、前記一つ又は複数のＴＷＤＭチャネルは前記第２のＴＷＤＭチャネルを含み、または、
前記第１の判断手段は、
光回線終端装置ＯＬＴから送信された異常通知を受信するように構成される第１の受信ユニットと、ここで、前記異常通知は前記ＯＬＴが前記第２のＴＷＤＭチャネルを介して、前記第２のＴＷＤＭチャネルで動作している全てのＯＮＵのアップリンク信号を受信できない場合に、前記第２のＴＷＤＭチャネルで動作している全てのＯＮＵに送信するものであり、
前記異常通知に基づいて、前記第２のＴＷＤＭチャネルが異常であると判断するように構成される第１の判断ユニットと、を含み、または、
前記第１の判断手段は、
前記第２のＴＷＤＭチャネルでダウンリンク信号を検出できなかった時間長が所定の時間長を超えるか否かを判断するように構成される第２の判断ユニットと、
前記時間長が前記所定の時間長を超えると判断した場合、前記第２のＴＷＤＭチャネルが異常であると判断するように構成される第３の判断ユニットと、を含む
請求項１１に記載の装置。
【請求項１３】
前記第３の判断ユニットは、前記ＯＮＵの前記第２のＴＷＤＭチャネル上のダウンリンク信号同期ロスを検出すると、前記ＯＮＵにＯ６状態へ進入することを指示し、タイマーＴ２を作動させ、前記タイマーＴ２がタイムアップする前に前記ＯＮＵがダウンリンク信号を受信できていない場合、前記第２のＴＷＤＭチャネルが異常であると確定するように構成される請求項１２に記載の装置。
【請求項１４】
前記同調手段は、前記第２のＴＷＤＭチャネルが異常である場合、前記ＯＮＵにＯ１状態へ進入することを指示し、前記ＯＮＵのアップリンク波長及び／又はダウンリンク波長を前記第１のＴＷＤＭチャネルのアップリンク波長及び／又はダウンリンク波長に同調し、前記第１のＴＷＤＭチャネルで活性化し始めるように構成され、又は、
前記同調手段は、前記第２のＴＷＤＭチャネルが異常である場合、前記ＯＮＵにＯ１状態へ進入することを指示し、タイマーＴ３を作動させ、タイマーＴ３がタイムアップする前に前記ＯＮＵがダウンリンク信号を受信できていない場合、前記ＯＮＵに波長同調状態であるＯ８状態へ進入することを指示し、前記ＯＮＵにダウンリンク信号の同期を完成した後にＯ４状態又はＯ５状態へ進入することを指示するように構成され、ここで、前記Ｏ８状態において、前記ＯＮＵは、前記ＯＮＵのアップリンク波長及び／又はダウンリンク波長を前記第１のＴＷＤＭチャネルのアップリンク波長及び／又はダウンリンク波長に同調し、同調を完成した後、前記第１のＴＷＤＭチャネルを介してダウンリンク信号を受信し、または、
前記同調手段は、前記第２のＴＷＤＭチャネルが異常である場合、前記ＯＮＵに波長同調状態であるＯ８状態へ進入することを指示し、前記ＯＮＵに同調を完成した後にＯ４状態又はＯ５状態へ進入することを指示するように構成され、ここで、前記Ｏ８状態において、前記ＯＮＵは、前記ＯＮＵの伝送収束レイヤー配置パラメータを保留し、前記ＯＮＵのアップリンク波長及び／又はダウンリンク波長を前記第１のＴＷＤＭチャネルのアップリンク波長及び／又はダウンリンク波長に同調し、又は、
前記同調手段は、前記第２のＴＷＤＭチャネルが異常である場合、前記ＯＮＵのアップリンク波長及び／又はダウンリンク波長を前記第１のＴＷＤＭチャネルのアップリンク波長及び／又はダウンリンク波長に同調し、前記ＯＮＵに同調を完成した後にＯ４状態又はＯ５状態へ進入することを指示するように構成される請求項１３に記載の装置。
【請求項１５】
前記第３の判断ユニットは、前記ＯＮＵにＯ１状態又はＯ８状態へ進入することを指示した場合、前記ＯＮＵの伝送収束レイヤー配置パラメータを保留するように構成され、
前記第３の判断ユニットはさらに、前記ＯＮＵが前記タイマーＴ３がタイムアップする前にダウンリンク信号を受信した場合、前記伝送収束レイヤー配置パラメータを消去するように構成され、または、
前記第２の判断手段がローカルに前記第２のＴＷＤＭチャネルのチャネル情報を記憶していないと判断した場合、前記ＯＮＵにＯ１状態へ進入することを指示するように構成される指示手段をさらに含む
請求項１４に記載の装置。
【請求項１６】
前記第１のＴＷＤＭチャネルのチャネル情報をＯＬＴが動的に更新して前記ＯＮＵに提供する
請求項１１に記載の装置。
【請求項１７】
請求項１０乃至１６のいずれか１項に記載のチャネル切り替え装置を含む
光ネットワークユニット。
【請求項１８】
光回線終端装置ＯＬＴと、光ネットワークユニットＯＮＵと、を含み、
前記ＯＬＴは、第１のＴＷＤＭチャネルのアップリンク波長及び／又はダウンリンク波長を指示する前記第１の時間・波長分割多重ＴＷＤＭチャネルのチャネル情報を送信するように構成され、
前記ＯＮＵは、前記第１のＴＷＤＭチャネルのチャネル情報を取得し、前記第１のＴＷＤＭチャネルのチャネル情報に基づいて、前記ＯＮＵのアップリンク波長及び／又はダウンリンク波長を前記第１のＴＷＤＭチャネルのアップリンク波長及び／又はダウンリンク波長に同調するように構成される
時間・波長分割多重システム。
【請求項１９】
前記ＯＮＵはさらに、前記ＯＮＵが現在動作している第２のＴＷＤＭチャネルが正常であるか否かを判断するように構成され、前記第２のＴＷＤＭチャネルが異常である場合、前記ＯＮＵは前記ＯＮＵのアップリンク波長及び／又はダウンリンク波長を前記第１のＴＷＤＭチャネルのアップリンク波長及び／又はダウンリンク波長に同調する
請求項１８に記載のシステム。
【請求項２０】
前記ＯＬＴはさらに、前記第２のＴＷＤＭチャネルが異常である場合、前記第２のＴＷＤＭチャネルで動作している全てのＯＮＵの伝送収束レイヤー配置情報を前記第１のＴＷＤＭチャネルに伝送するように構成される
請求項１９に記載のシステム。
【発明の詳細な説明】
【技術分野】
【０００１】
本発明は、通信分野に関し、チャネル切り替え方法、チャネル切り替え装置、光ネットワークユニット及び時間・波長分割多重システムに関するものである。
【背景技術】
【０００２】
ネットワーク技術の発展に伴って、ネットワークを利用して大量の音声、データ、ビデオ等の業務を伝送することができるので、帯域幅に対する要求がますます高まっていて、受動光ネットワーク（Ｐａｓｓｉｖｅ  Ｏｐｔｉｃａｌ  Ｎｅｔｗｏｒｋ、ＰＯＮと略称）がこのようなニーズに応じて発生されたものである。
【０００３】
図１は既存技術に係るＰＯＮシステムの構造を示す図で、図１に示すように、ＰＯＮシステムは通常、基地局側の光回線終端装置（Ｏｐｔｉｃａｌ  Ｌｉｎｅ  Ｔｅｒｍｉｎａｌ、ＯＬＴと略称）と、ユーザ側の光ネットワークユニット（Ｏｐｔｉｃａｌ  Ｎｅｔｗｏｒｋ  Ｕｎｉｔ、ＯＮＵと略称）と、光分配ネットワーク（Ｏｐｔｉｃａｌ  Ｄｉｓｔｒｉｂｕｔｉｏｎ  Ｎｅｔｗｏｒｋ、ＯＤＮと略称）から構成され、通常ポイントツーマルチポイントのネットワーク構造を用いる。ＯＤＮはシングルモードファイバと、光分岐器と、光接続機器等の受動光素子からなり、ＯＬＴとＯＮＵとの間の物理接続のために光伝送媒体を提供する。
【０００４】
現在、４０Ｇ伝送能力を有するＰＯＮ技術には主に、時間・波長分割多重（Ｔｉｍｅ  Ｗａｖｅｌｅｎｇｔｈ  Ｄｉｖｉｓｉｏｎ  Ｍｕｌｔｉｐｌｅｘｉｎｇ、ＴＷＤＭと略称）ＰＯＮシステムがある。図２は既存技術に係るＴＷＤＭ  ＰＯＮシステムの構造を示す図で、図２に示すように、各ＴＷＤＭチャネルは１セットのＯＮＵを管理し、１セットのＯＮＵにおけるアップリンクデータを送信するためのアップリンク波長は同一で、ダウンリンクデータを受信するためのダウンリンク波長も同一であって、１セットのＯＮＵ中の異なるＯＮＵは時間分割多重化方式でアップリンクデータを伝送する。異なるＴＷＤＭチャネルのダウンリンク波長は異なっていて、異なるＯＬＴが管理する各セットのＯＮＵが使用するアップリンク波長も異なる。各ＯＮＵはＯＬＴのコマンドに応じて、特定のアップリンクタイムスロットでアップリンクデータを送信する。
【０００５】
受動光ネットワークの配置応用において、一部のユーザは高い安全性を要求していて、通信事業者により対応する保証メカニズムを提供して業務経路切断後の高速の回復を確保することを望んでいる。従って、ユーザ業務を載せて運転中の受動光ネットワークに保護用の予備チャネルを設ける要求が提案された。
【０００６】
図３は既存技術に係るＴｙｐｅ  Ｂ保護スイッチング構造を示す図で、図３に示すように、既存の受動光ネットワーク標準に提起されたＴｙｐｅ  Ｂの保護スイッチングによると、ＯＬＴとメインファイバを保護することができる。ＯＬＴの二つの光ポートＰＯＮ（０）とＰＯＮ（１）はいずれも一つの２:Nの分光器に接続され、該分光器はダウンリンク方向でそれぞれ光ファイバを介して各ＯＮＵに接続される。ＯＬＴの光ポートＰＯＮ（０）から分光器を介してＯＮＵに達する経路はメイン経路で、ＯＬＴの光ポートＰＯＮ（１）から分光器を介してＯＮＵに達する経路は予備経路である。メイン経路は光ネットワークユニットと光回線終端装置とのサービス経路として、中断された後、予備経路を作動させて光ネットワークユニットと光回線終端装置との間の通信を保持する。当該技術において、各経路のアップリンク波長とダウンリンク波長が同一の配置を用いるので、ＯＮＵは自体のアップリンク波長とダウンリンク波長を同調する必要がない。
【０００７】
発明者は、研究中に、ＴＷＤＭ  ＰＯＮシステムにおける各ＴＷＤＭチャネルが異なるアップリンク波長とダウンリンク波長の配置を用いるので、Ｔｙｐｅ  Ｂの保護スイッチング方案を利用する場合、各ＴＷＤＭチャネルのために業務保護用の予備チャネルをわざわざ構築する必要があって、ＰＯＮシステムを配置する際のコストが増加することを見い出した。
【０００８】
既存技術においては、ＴＷＤＭ  ＰＯＮシステムの各ＴＷＤＭチャネルのために予備チャネルをわざわざ構築して業務保護を提供してコストが高くなる問題に対して、未だ有効な解決案が提案されていない。
【発明の概要】
【発明が解決しようとする課題】
【０００９】
本発明の実施例は、少なくともＴＷＤＭ  ＰＯＮシステムの各ＴＷＤＭチャネルのために予備チャネルをわざわざ構築して業務保護を提供してコストが高くなる問題を解決できるチャネル切り替え方法、チャネル切り替え装置、光ネットワークユニット及び時間・波長分割多重システムを提供する。
【課題を解決するための手段】
【００１０】
本発明の実施例の一態様によると、ＯＮＵが第１のＴＷＤＭチャネルのアップリンク波長及び／又はダウンリンク波長を指示するための前記第１のＴＷＤＭチャネルのチャネル情報を取得することと、前記ＯＮＵが前記第１のＴＷＤＭチャネルのチャネル情報に基づいて、前記ＯＮＵのアップリンク波長及び／又はダウンリンク波長を前記第１のＴＷＤＭチャネルのアップリンク波長及び／又はダウンリンク波長に同調することと、を含むチャネル切り替え方法を提供する。
【００１１】
本発明の実施例の他の一態様によると、第１のＴＷＤＭチャネルのアップリンク波長及び／又はダウンリンク波長を指示するための前記第１のＴＷＤＭチャネルのチャネル情報を取得するように構成される取得手段と、前記第１のＴＷＤＭチャネルのチャネル情報に基づいて、ＯＮＵのアップリンク波長及び／又はダウンリンク波長を前記第１のＴＷＤＭチャネルのアップリンク波長及び／又はダウンリンク波長に同調するように構成される同調手段と、を含むチャネル切り替え装置を提供する。
【００１２】
本発明の実施例の他の一態様によると、上記したチャネル切り替え装置を含む光ネットワークユニットを提供する。
【００１３】
本発明の実施例の他の一態様によると、ＯＬＴとＯＮＵとを含み、前記ＯＬＴは、第１のＴＷＤＭチャネルのアップリンク波長及び／又はダウンリンク波長を指示するための前記第１のＴＷＤＭチャネルのチャネル情報を送信するように構成され、前記ＯＮＵは、前記第１のＴＷＤＭチャネルのチャネル情報を取得し、前記第１のＴＷＤＭチャネルのチャネル情報に基づいて、前記ＯＮＵのアップリンク波長及び／又はダウンリンク波長を前記第１のＴＷＤＭチャネルのアップリンク波長及び／又はダウンリンク波長に同調するように構成される時間・波長分割多重システムを提供する。
【発明の効果】
【００１４】
本発明の実施例によると、ＯＮＵが第１のＴＷＤＭチャネルのアップリンク波長及び／又はダウンリンク波長を指示するための第１のＴＷＤＭチャネルのチャネル情報を取得することと、ＯＮＵが第１のＴＷＤＭチャネルのチャネル情報に基づいて、該ＯＮＵのアップリンク波長及び／又はダウンリンク波長を第１のＴＷＤＭチャネルのアップリンク波長及び／又はダウンリンク波長に同調する方式によって、ＴＷＤＭ  ＰＯＮシステムの各ＴＷＤＭチャネルのために予備チャネルをわざわざ構築して業務保護を提供してコストが高くなる問題を解決し、ＴＷＤＭ  ＰＯＮシステムを配置するコストが低減される。
【図面の簡単な説明】
【００１５】
ここで説明する図面は本発明を一層理解させるためのもので、本願の一部を構成し、本発明中の例示的な実施例及びその説明は本発明を解釈するもので、本発明を限定するものではない。
【図１】既存技術に係るＰＯＮシステムの構造を示す図である。
【図２】既存技術に係るＴＷＤＭ  ＰＯＮシステムの構造を示す図である。
【図３】既存技術に係るＴｙｐｅ  Ｂ保護スイッチング構造を示す図である。
【図４】本発明の実施例に係るチャネル切り替え方法を示すフローチャートである。
【図５】本発明の実施例に係るチャネル切り替え装置の構造を示す図である。
【図６】本発明の実施例に係る時間・波長分割多重システムの構造を示す図である。
【図７】本発明の好適な実施例に係るＴＷＤＭチャネルのチャネル情報の好適な構造を示す図である。
【図８】本発明の好適な実施例に係るＴＷＤＭチャネルのチャネル情報の好適な構造を示す図である。
【図９】本発明の好適な実施例に係るＴＷＤＭチャネルのチャネル情報の好適な構造を示す図である。
【図１０】本発明の好適な実施例に係るＴＷＤＭチャネルのチャネル情報の好適な構造を示す図である。
【図１１】本発明の好適な実施例に係るＴＷＤＭチャネルのチャネル情報の好適な構造を示す図である。
【図１２】本発明の好適な実施例に係るＴＷＤＭチャネルのチャネル情報の好適な構造を示す図である。
【発明を実施するための形態】
【００１６】
なお、矛盾しない限り、本願の実施例及び実施例中の特徴は組み合せることができる。以下、図面を参照しつつ実施例を結合して本発明を詳しく説明する。
【００１７】
図面中のフローチャートに示すステップを、例えば１セットのコンピューターが命令を実行可能なコンピューターシステムで実行することができ、また、フローチャートに論理順を示しているが、場合によっては、その順と異なる順に従って図に示す又は説明したステップを実行することも可能である。
【００１８】
本発明の実施例において、例えば「第１のＴＷＤＭチャネル」、「第２のＴＷＤＭチャネル」、又は「第１の確定手段」、「第２の確定手段」における「第１」、「第２」等は上記した用語の順序を限定するためのものではなく、対応する用語を区別するためのものである。また、矛盾しない限り、例えば「第１の確定手段」と「第２の確定手段」が同一の手段であることができ、又は「第１の確定手段」と「第２の確定手段」を同一の手段として併合することができる。
【００１９】
本実施例においてチャネル切り替え方法を提供し、図４は本発明の実施例に係るチャネル切り替え方法を示すフローチャートで、図４に示すように、該方法は以下のステップを含む。
【００２０】
ＯＮＵが第１のＴＷＤＭチャネルのチャネル情報を取得し（ステップＳ４０２）、ここで、第１のＴＷＤＭチャネルのチャネル情報は第１のＴＷＤＭチャネルのアップリンク波長及び／又はダウンリンク波長を指示し、
ＯＮＵが第１のＴＷＤＭチャネルのチャネル情報に基づいて、該ＯＮＵのアップリンク波長及び／又はダウンリンク波長を第１のＴＷＤＭチャネルのアップリンク波長及び／又はダウンリンク波長に同調する（ステップＳ４０４）。
【００２１】
上記ステップによって、ＯＮＵが取得した第１のＴＷＤＭチャネルのチャネル情報に基づいて、そのアップリンク波長及び／又はダウンリンク波長を同調して、該ＯＮＵの動作中のチャネルを第１のＴＷＤＭチャネルに切り替えすることで、ＴＷＤＭ  ＰＯＮシステムの各ＴＷＤＭチャネルのために予備チャネルをわざわざ構築して業務保護を提供してコストが高くなる問題を解決し、ＴＷＤＭ  ＰＯＮシステムを配置するコストを低減する。
【００２２】
そして、ＯＮＵがアップリンク波長及び／又はダウンリンク波長の同調を完成した後、ＯＮＵが該ＯＮＵの業務を第１のＴＷＤＭチャネルにスイッチングすることができる。
【００２３】
一部の実施例において、チャネルの切り替えが必要である場合、ＯＮＵがＯＬＴに第１のＴＷＤＭチャネルのチャネル情報を提供するように通知することができ、又はＯＮＵが被動的にＯＬＴからの第１のＴＷＤＭチャネルのチャネル情報を待ってから、ＯＮＵが第１のＴＷＤＭチャネルのチャネル情報に基づいて業務スイッチングを行うこともできる。そして、ステップＳ４０２の後、ＯＮＵが第１のＴＷＤＭチャネルのチャネル情報を記憶することができる。該方式によって、ＯＮＵはチャネルの切り替えが必要である場合に記憶された情報に基づいてチャネルの切り替えを行うことができる。そして、記憶された第１のＴＷＤＭチャネルのチャネル情報には所定の時間長の生存時間が設定されていて、生存時間に達した後、該チャネル情報を消去し、又は該チャネル情報が失効するように設定することができる。この時、ＯＮＵは新しい第１のＴＷＤＭチャネルのチャネル情報を再び取得して記憶することができる。
【００２４】
本実施例を適用したＴＷＤＭ  ＰＯＮシステムにおいて複数のＴＷＤＭチャネルに対して一つ又は複数のＴＷＤＭチャネルを用いて保護することができるので、チャネル情報をＯＬＴからＯＮＵに送信する場合、ＯＬＴは一つのＯＮＵに一つのＯＮＵの予備ＴＷＤＭチャネルのチャネル情報を送信することができ、全てのＯＮＵに各ＯＮＵに対応する予備ＴＷＤＭチャネルのチャネル情報を送信することもできる。そして、ＯＬＴから送信されるチャネル情報が各ＯＮＵに対応する予備ＴＷＤＭチャネルのチャネル情報である場合、ＯＮＵは複数のＴＷＤＭチャネルのチャネル情報を受信し、ここで、複数のＴＷＤＭチャネルのチャネル情報は複数のＴＷＤＭチャネルのアップリンク波長及び／又はダウンリンク波長を指示し、各ＴＷＤＭチャネルの予備ＴＷＤＭチャネルの対応関係を指示する。ＯＮＵは対応関係に基づいて、第２のＴＷＤＭチャネルに対応する予備ＴＷＤＭチャネルを第１のＴＷＤＭチャネルとして確定する。
【００２５】
そして、第１のＴＷＤＭチャネルのチャネル情報は、ＯＬＴが周期的に一つ又は複数のＴＷＤＭチャネルで送信するものであることができ、ここで、一つ又は複数のＴＷＤＭチャネルは第２のＴＷＤＭチャネルを含む。そして、チャネル情報を送信する周期は記憶されたチャネル情報の生存時間に等しいか未満である。
【００２６】
そして、ＯＮＵがＯＮＵのアップリンク波長及び／又はダウンリンク波長を第１のＴＷＤＭチャネルのアップリンク波長及び／又はダウンリンク波長に同調する前、ＯＮＵが現在動作している第２のＴＷＤＭチャネルが正常であるか否かを判断する方式でＯＮＵがチャネルの切り替えを必要とするか否かを確定することができ、ここで、第２のＴＷＤＭチャネルが異常である場合、ＯＮＵは、ＯＮＵのアップリンク波長及び／又はダウンリンク波長を第１のＴＷＤＭチャネルのアップリンク波長及び／又はダウンリンク波長に同調する。
【００２７】
そして、ＯＮＵが現在動作している第２のＴＷＤＭチャネルが正常であるか否かを判断する時、ＯＬＴがアップリンク信号を検出して、又はＯＮＵがダウンリンク信号を検出して判断することができる。
【００２８】
そして、ＯＬＴがアップリンク信号を検出して判断する場合、ＯＮＵが光回線終端装置ＯＬＴから送信された異常通知を受信し、該異常通知に基づいて、第２のＴＷＤＭチャネルが異常であると判断することができる。ここで、該異常通知は、ＯＬＴが第２のＴＷＤＭチャネルを介して第２のＴＷＤＭチャネルで動作している全てのＯＮＵのアップリンク信号を受信することができない場合に、第２のＴＷＤＭチャネルで動作している全てのＯＮＵに送信される。
【００２９】
そして、ＯＮＵがダウンリンク信号を検出して判断する場合、ＯＮＵが、第２のＴＷＤＭチャネルでダウンリンク信号を検出できなかった時間長が所定の時間長を超えているか否かを判断し、時間長が所定の時間長を超える場合、第２のＴＷＤＭチャネルが異常であると判断することができる。
【００３０】
一部の実施例において、第２のＴＷＤＭチャネルが正常であるか否かを判断する過程において、ＯＮＵが第２のＴＷＤＭチャネル上のダウンリンク信号同期ロスを検出した場合、ＯＮＵはＯ６状態に進入し、タイマーＴ２を作動させ、ＯＮＵはタイマーＴ２がタイムアップする前にダウンリンク信号を受信できていないと、第２のＴＷＤＭチャネルが異常であると確定する。
【００３１】
そして、第２のＴＷＤＭチャネルが異常である場合、ステップＳ４０４は、ＯＮＵがＯ１状態に進入し、該ＯＮＵのアップリンク波長及び／又はダウンリンク波長を第１のＴＷＤＭチャネルのアップリンク波長及び／又はダウンリンク波長に同調し、第１のＴＷＤＭチャネルで活性化し始めることをさらに含むことができる。
【００３２】
又は、第２のＴＷＤＭチャネルが異常である場合、ステップＳ４０４は、ＯＮＵがＯ１状態に進入し、タイマーＴ３を作動させ、タイマーＴ３がタイムアップする前にＯＮＵがダウンリンク信号を受信できていない場合、ＯＮＵは波長同調状態であるＯ８状態に進入することをさらに含むことができ、ここで、Ｏ８状態において、ＯＮＵはＯＮＵのアップリンク波長及び／又はダウンリンク波長を第１のＴＷＤＭチャネルのアップリンク波長及び／又はダウンリンク波長に同調し、同調を完成した後、第１のＴＷＤＭチャネルを介してダウンリンク信号を受信し、ＯＮＵはダウンリンク信号同期を完成した後、Ｏ４状態又はＯ５状態に進入する。
【００３３】
そして、ＯＮＵがＯ１状態又はＯ８状態に進入した場合、ＯＮＵの伝送収束レイヤー配置パラメータを保留し、ＯＮＵはタイマーＴ３がタイムアップする前にダウンリンク信号を受信した場合、伝送収束レイヤー配置パラメータを消去することができる。
【００３４】
そして、第２のＴＷＤＭチャネルが異常である場合、該方法は、ＯＬＴが第２のＴＷＤＭチャネルで動作している全てのＯＮＵの伝送収束レイヤー配置情報を第１のＴＷＤＭチャネルに伝送することをさらに含むことができる。
【００３５】
そして、第２のＴＷＤＭチャネルが異常である場合、ステップＳ４０４が、ＯＮＵが波長同調状態であるＯ８状態に進入し、ここで、Ｏ８状態において、ＯＮＵはＯＮＵの伝送収束レイヤー配置パラメータを保留し、ＯＮＵのアップリンク波長及び／又はダウンリンク波長を第１のＴＷＤＭチャネルのアップリンク波長及び／又はダウンリンク波長に同調し、ＯＮＵが同調を完成した後、Ｏ４状態又はＯ５状態に進入することを含むことができる。
【００３６】
そして、第２のＴＷＤＭチャネルが異常である場合、ステップＳ４０４は、ＯＮＵがＯＮＵのアップリンク波長及び／又はダウンリンク波長を第１のＴＷＤＭチャネルのアップリンク波長及び／又はダウンリンク波長に同調し、ＯＮＵが同調を完成した後、Ｏ４状態又はＯ５状態に進入することを含むことができる。
【００３７】
そして、第２のＴＷＤＭチャネルが異常である場合、ステップＳ４０４の前、ＯＮＵがローカルに第２のＴＷＤＭチャネルのチャネル情報を記憶しているか否かを判断し、ここで、ローカルに第２のＴＷＤＭチャネルのチャネル情報を記憶していると判断された場合、ＯＮＵはＯＮＵのアップリンク波長及び／又はダウンリンク波長を第１のＴＷＤＭチャネルのアップリンク波長及び／又はダウンリンク波長に同調することができる。
【００３８】
そして、ＯＮＵがローカルに第２のＴＷＤＭチャネルのチャネル情報を記憶していないと判断された場合、ＯＮＵがＯ１状態に進入することができる。
【００３９】
そして、第１のＴＷＤＭチャネルのチャネル情報は、第１のＴＷＤＭチャネルのチャネルマーク、第１のＴＷＤＭチャネルのアップリンク波長マーク及び／又はダウンリンク波長マーク、第１のＴＷＤＭチャネルのアップリンク波長値及び／又はダウンリンク波長値の中の少なくとも一つを含むことができる。ここで、チャネル情報がチャネルマーク又はアップリンク波長マーク及び／又はダウンリンク波長マークである場合、ＯＮＵは予め協商したチャネルマーク又はアップリンク波長マーク及び／又はダウンリンク波長マークとアップリンク波長値及び／又はダウンリンク波長値との対応関係に基づいて、対応するチャネル情報に対応するアップリンク波長値及び／又はダウンリンク波長値を確定する。
【００４０】
そして、第１のＴＷＤＭチャネルのチャネル情報はＯＬＴが動的に更新してＯＮＵに提供することができる。例えば、第１のＴＷＤＭチャネルのチャネル情報が変更された（又はＯＮＵの予備ＴＷＤＭチャネルが変更された）場合、ＯＬＴは新しいチャネル情報をＯＮＵに送信する。
【００４１】
本発明の実施例においてさらに上記チャネル切り替え方法を実現するためのチャネル切り替え装置を提供し、装置実施例に記載の装置の具体的な実現プロセスは、方法実施例で詳しく説明したので、ここでは詳細な説明を省略する。
【００４２】
図５は本発明の実施例に係るチャネル切り替え装置の構造を示す図で、図５に示すように、該チャネル切り替え装置は、取得手段５２と、同調手段５４とを含み、取得手段５２は第１のＴＷＤＭチャネルのチャネル情報を取得するように構成され、ここで、第１のＴＷＤＭチャネルのチャネル情報は第１のＴＷＤＭチャネルのアップリンク波長及び／又はダウンリンク波長を指示し、また、同調手段５４は取得手段５２に結合されて、第１のＴＷＤＭチャネルのチャネル情報に基づいて、ＯＮＵのアップリンク波長及び／又はダウンリンク波長を第１のＴＷＤＭチャネルのアップリンク波長及び／又はダウンリンク波長に同調するように構成される。
【００４３】
本発明の実施例に係わっている手段、ユニットをソフトウェア方式で実現することができ、ハードウェア方式で実現することもできる。本実施例に記載の手段、ユニットをプロセッサに設けることができ、例えば、取得手段５２と同調手段５４とを含むプロセッサと記載することもできる。ここで、これらの手段の名称は該手段自体を限定するものではないこともあって、例えば、取得手段５２を「第１のＴＷＤＭチャネルのチャネル情報を取得する手段」と記載することもできる。
【００４４】
そして、該装置は、同調手段５４に結合されて、ＯＮＵの業務を第１のＴＷＤＭチャネルにスイッチングするように構成されるスイッチング手段をさらに含むことができる。
【００４５】
そして、該装置は、取得手段５２と同調手段５４に結合されて、第１のＴＷＤＭチャネルのチャネル情報を記憶するように構成される記憶手段をさらに含むことができる。
【００４６】
そして、取得手段５２は、複数のＴＷＤＭチャネルのアップリンク波長及び／又はダウンリンク波長を指示し、各ＴＷＤＭチャネルの予備ＴＷＤＭチャネルの対応関係を指示する複数のＴＷＤＭチャネルのチャネル情報を受信するように構成される第１の受信ユニットと、第１の受信ユニットに結合されて、対応関係に基づいて、第２のＴＷＤＭチャネルに対応する予備ＴＷＤＭチャネルを第１のＴＷＤＭチャネルとして確定するように構成される第１の確定ユニットと、を含むことができる。
【００４７】
そして、第１のＴＷＤＭチャネルのチャネル情報は、ＯＬＴが周期的に一つ又は複数のＴＷＤＭチャネルで送信するものであることができ、ここで、一つ又は複数のＴＷＤＭチャネルは第２のＴＷＤＭチャネルを含む。
【００４８】
そして、該装置は、同調手段５４に結合されて、ＯＮＵが現在動作している第２のＴＷＤＭチャネルが正常であるか否かを判断するように構成される第１の判断手段をさらに含み、ここで、第２のＴＷＤＭチャネルが異常である場合、同調手段５４がＯＮＵのアップリンク波長及び／又はダウンリンク波長を第１のＴＷＤＭチャネルのアップリンク波長及び／又はダウンリンク波長に同調する。
【００４９】
そして、第１の判断手段は、ＯＬＴから送信された、ＯＬＴが第２のＴＷＤＭチャネルを介して第２のＴＷＤＭチャネルで動作している全てのＯＮＵのアップリンク信号を受信することができない場合に第２のＴＷＤＭチャネルで動作している全てのＯＮＵに送信する異常通知を受信するように構成される第１の受信ユニットと、第１の受信ユニットに結合されて、異常通知に基づいて、第２のＴＷＤＭチャネルが異常であると判断するように構成される第１の判断ユニットと、を含むことができる。
【００５０】
そして、第１の判断手段は、第２のＴＷＤＭチャネルでダウンリンク信号を検出できなかった時間長が所定の時間長を超えるか否かを判断するように構成される第２の判断ユニットと、第２の判断ユニットに結合されて、時間長が所定の時間長を超える場合、第２のＴＷＤＭチャネルが異常であると判断するように構成される第３の判断ユニットと、を含むことができる。
【００５１】
そして、第３の判断ユニットが、ＯＮＵの第２のＴＷＤＭチャネル上のダウンリンク信号同期ロスを検出した場合、ＯＮＵにＯ６状態へ進入することを指示し、タイマーＴ２を作動させ、タイマーＴ２がタイムアップする前に該ＯＮＵがダウンリンク信号を受信できていない場合、第２のＴＷＤＭチャネルが異常であると確定するように構成されることができる。
【００５２】
そして、同調手段５４は、第２のＴＷＤＭチャネルが異常である場合、ＯＮＵにＯ１状態へ進入することを指示し、ＯＮＵのアップリンク波長及び／又はダウンリンク波長を第１のＴＷＤＭチャネルのアップリンク波長及び／又はダウンリンク波長に同調し、第１のＴＷＤＭチャネルで活性化し始めるように構成されることができる。
【００５３】
そして、同調手段５４は、第２のＴＷＤＭチャネルが異常である場合、ＯＮＵにＯ１状態へ進入することを指示し、タイマーＴ３を作動させ、タイマーＴ３がタイムアップする前にＯＮＵがダウンリンク信号を受信できていない場合、ＯＮＵに波長同調状態であるＯ８状態へ進入することを指示するように構成することができ、ここで、Ｏ８状態において、ＯＮＵはＯＮＵのアップリンク波長及び／又はダウンリンク波長を第１のＴＷＤＭチャネルのアップリンク波長及び／又はダウンリンク波長に同調し、同調を完成した後、第１のＴＷＤＭチャネルを介してダウンリンク信号を受信し、ＯＮＵはダウンリンク信号同期を完成した後、Ｏ４状態又はＯ５状態に進入する。
【００５４】
そして、第３の判断ユニットはさらに、ＯＮＵにＯ１状態又はＯ８状態へ進入することを指示した場合、ＯＮＵの伝送収束レイヤー配置パラメータを保留するように構成され、又は、第３の判断ユニットは、ＯＮＵにタイマーＴ３がタイムアップする前にダウンリンク信号を受信した場合、伝送収束レイヤー配置パラメータを消去することを指示するように構成される。
【００５５】
そして、同調手段５４は、第２のＴＷＤＭチャネルが異常である場合、ＯＮＵに波長同調状態であるＯ８状態へ進入することを指示し、ここで、Ｏ８状態において、ＯＮＵはＯＮＵの伝送収束レイヤー配置パラメータを保留し、ＯＮＵのアップリンク波長及び／又はダウンリンク波長を第１のＴＷＤＭチャネルのアップリンク波長及び／又はダウンリンク波長に同調し、また、ＯＮＵに同調を完成した後、Ｏ４状態又はＯ５状態へ進入することを指示するように構成することができる。
【００５６】
そして、同調手段５４は、第２のＴＷＤＭチャネルが異常である場合、ＯＮＵのアップリンク波長及び／又はダウンリンク波長を第１のＴＷＤＭチャネルのアップリンク波長及び／又はダウンリンク波長に同調し、ＯＮＵに同調を完成した後、Ｏ４状態又はＯ５状態へ進入することを指示するように構成することができる。
【００５７】
そして、該装置は、第１の判断手段に結合されて、第２のＴＷＤＭチャネルが異常である場合、ローカルに第２のＴＷＤＭチャネルのチャネル情報を記憶したか否かを判断するように構成される第２の判断手段をさらに含むことができ、ローカルに第２のＴＷＤＭチャネルのチャネル情報を記憶していると判断された場合、同調手段５４がＯＮＵのアップリンク波長及び／又はダウンリンク波長を第１のＴＷＤＭチャネルのアップリンク波長及び／又はダウンリンク波長に同調する。
【００５８】
そして、該装置は、第２の判断手段に結合されて、第２の判断手段によりローカルに第２のＴＷＤＭチャネルのチャネル情報を記憶していないと判断された場合、ＯＮＵにＯ１状態へ進入することを指示するように構成される指示手段をさらに含むことができる。
【００５９】
そして、第１のＴＷＤＭチャネルのチャネル情報は、第１のＴＷＤＭチャネルのチャネルマーク、第１のＴＷＤＭチャネルのアップリンク波長マーク及び／又はダウンリンク波長マーク、第１のＴＷＤＭチャネルのアップリンク波長値及び／又はダウンリンク波長値の中の少なくとも一つを含むことができる。
【００６０】
そして、第１のＴＷＤＭチャネルのチャネル情報を、ＯＬＴが動的に更新してＯＮＵに提供することができる。
【００６１】
本実施例においてさらに上記したチャネル切り替え装置を含む光ネットワークユニットを提供する。
【００６２】
本実施例においてさらに時間・波長分割多重システムを提供し、図６は本発明の実施例に係る時間・波長分割多重システムの構造を示す図で、図６に示すように、該時間・波長分割多重システムはＯＬＴ  ６２とＯＮＵ  ６４とを含み、ＯＬＴ  ６２は第１のＴＷＤＭチャネルのチャネル情報を送信するように構成され、第１のＴＷＤＭチャネルのチャネル情報は第１のＴＷＤＭチャネルのアップリンク波長及び／又はダウンリンク波長を指示し、また、ＯＮＵ  ６４は第１のＴＷＤＭチャネルのチャネル情報を取得し、第１のＴＷＤＭチャネルのチャネル情報に基づいて、ＯＮＵ  ６４のアップリンク波長及び／又はダウンリンク波長を第１のＴＷＤＭチャネルのアップリンク波長及び／又はダウンリンク波長に同調するように構成される。
【００６３】
そして、ＯＮＵ  ６４はさらに、ＯＮＵ  ６４が現在動作している第２のＴＷＤＭチャネルが正常であるか否かを判断するように構成され、第２のＴＷＤＭチャネルが異常である場合、ＯＮＵ  ６４はＯＮＵのアップリンク波長及び／又はダウンリンク波長を第１のＴＷＤＭチャネルのアップリンク波長及び／又はダウンリンク波長に同調するように構成されることができる。
【００６４】
そして、ＯＬＴ  ６２はさらに、第２のＴＷＤＭチャネルが異常である場合、第２のＴＷＤＭチャネルで動作している全てのＯＮＵの伝送収束レイヤー配置情報を第１のＴＷＤＭチャネルに伝送するように構成することができる。
【００６５】
本発明の実施例におけるＯＮＵのＯ１〜Ｏ７状態は関連する規範に規定された状態である。例えば、ギガビット受動光ネットワークの伝送収束レイヤー規範に定義されて７種類のＯＮＵの状態は以下のＯ１〜Ｏ７状態を含む。
【００６６】
初期状態Ｏ１：ＯＮＵは当該状態で光パワーを構築し、警告信号を検出する。ダウンリンクメッセージを受信し、警告信号が消去された後、ＯＮＵは待機状態Ｏ２に遷移する。
【００６７】
待機状態（用意状態）Ｏ２：ＯＮＵがダウンリンクメッセージを受信し、Ｕｐｓｔｒｅａｍ−Ｏｖｅｒｈｅａｄメッセージを待つ。受信すると、ＯＮＵはパラメータの配置を開始するとともに、シリアル番号状態Ｏ３に遷移する。
【００６８】
シリアル番号状態Ｏ３：ＯＬＴはシリアル番号状態Ｏ３にて全てのＯＮＵに一つのシリアル番号要求を送信することで、新しいＯＮＵとそれのシリアル番号を発現する。ＯＮＵが発現されると、ＯＬＴはＡｓｓｉｇｎ−ＯＮＵ−ＩＤメッセージを介して、唯一のＯＮＵ−ＩＤを割り当てし、距離測定状態Ｏ４に遷移する。
【００６９】
距離測定状態Ｏ４：異なるＯＮＵからのアップリンク伝送需要がアップリンクフレームと同期を実現する。全てのＯＮＵからＯＬＴへが同一な距離を有するように得られるように、各ＯＮＵは全て同等な遅延が必要である。当該同等な遅延は距離測定状態で測定される。ＯＮＵがＲａｎｇｉｎｇ−Ｔｉｍｅメッセージを受信すると、動作状態に遷移する。
【００７０】
動作状態（運転状態）Ｏ５：当該状態のみで、ＯＮＵはＯＬＴの指示に従って、アップリンクデータとＰＬＯＡＭメッセージを送信し正常に動作することができる。
【００７１】
ポップアップ状態Ｏ６、緊急停止状態Ｏ７は、ＯＮＵの異常状態で、異常状況が排除された後、ポップアップ状態Ｏ６は保護スイッチングを行った後に再び距離測定状態に遷移し、緊急停止状態Ｏ７は故障を排除した後に用意状態Ｏ２に戻って、全ての情報を再び検出する。
【００７２】
以下、好適な実施例を結合して説明する。
【００７３】
本好適な実施例は受動光ネットワークにおける保護スイッチング方法を提供する。本好適な実施例において、ＴＷＤＭ  ＰＯＮシステム中の１本の動作ＴＷＤＭチャネルを他の１本のＴＷＤＭチャネルの予備チャネルとし、又はＴＷＤＭシステム全体のために１本の専用の予備ＴＷＤＭチャネルを構築してＴＷＤＭ  ＰＯＮシステム全体を保護することができる。本好適な実施例において、上述した２種類の保護スイッチング構造を用いた場合、保護スイッチングが発生した時、ＯＮＵが現在の動作ＴＷＤＭチャネルから自体の動作チャネルに対応する予備ＴＷＤＭチャネルに同調する保護スイッチング方法を提供する。該保護スイッチング方法において、ＯＮＵが自体のＴＷＤＭチャネル値の同調を行う前、ＯＮＵが自体に対応する予備チャネルのＴＷＤＭチャネル値を取得して、保護スイッチングした後の業務の正常伝送を実現する。本好適な実施例の一部の具体的な実現案において、さらに、ＯＮＵがどのような条件下で自体のＴＷＤＭチャネルを同調することで保護スイッチングの技術案を完成するかを判断する。
【００７４】
機器のコストを節約しつつＯＮＵが予備ＴＷＤＭチャネル値を取得しＯＮＵが保護スイッチングを実行するか否かを判断する問題を解決するため、本好適な実施例において以下のような技術案を採用する：
ＯＬＴが、各ＴＷＤＭチャネルに対応する予備ＴＷＤＭチャネル情報をＯＮＵに送信し（ステップ１）、ここで、予備ＴＷＤＭチャネル情報は各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値を含む。
【００７５】
ＯＮＵが上記情報を記憶する（ステップ２）。
【００７６】
ＯＬＴが全てのＯＮＵから送信されたアップリンク信号を受信できない時、ＯＬＴは現在のＴＷＤＭチャネルで動作している全てのＯＮＵに予備ＴＷＤＭチャネルヘ同調して保護スイッチングすることを通知し、又はＯＮＵが一定の時間内で現在の動作ＴＷＤＭチャネルでダウンリンク光信号を検出できないと、ＯＮＵは現在動作ＴＷＤＭチャネルに対応する保護ＴＷＤＭチャネルに同調して動作する（ステップ３）。
【００７７】
そして、ＯＬＴが各ＴＷＤＭチャネルに対応する予備ＴＷＤＭチャネル情報をＯＮＵに送信することが、ＯＬＴが定期的に全てのＴＷＤＭチャネルで、各ＴＷＤＭチャネルに対応する予備ＴＷＤＭチャネルマーク、又は各ＴＷＤＭチャネルに対応する予備ＴＷＤＭチャネルのアップリンク波長マークとダウンリンク波長マーク、又は各ＴＷＤＭチャネルに対応する予備ＴＷＤＭチャネルに対応するアップリンク波長値とダウンリンク波長値の情報を送信することを含むことができる。
【００７８】
そして、ＯＬＴが各ＴＷＤＭチャネルに対応する予備ＴＷＤＭチャネル情報をＯＮＵに送信することが、ＯＬＴが定期的に各ＴＷＤＭチャネルで、現在のＴＷＤＭチャネルに対応する予備ＴＷＤＭチャネルマーク、又は現在のＴＷＤＭチャネルに対応する予備ＴＷＤＭチャネルのアップリンク波長マークとダウンリンク波長マーク、又は現在のＴＷＤＭチャネルに対応する予備ＴＷＤＭチャネルに対応するアップリンク波長値とダウンリンク波長値の情報を送信することを含むことができる。
【００７９】
そして、ＯＮＵがダウンリンク同期ロスを検出した後、ＯＮＵはＯ６状態に進入し、タイマーＴ２を作動させ、タイマーがタイムアップした後、ＯＮＵがダウンリンク信号を受信できていないと、ＯＮＵはＯ１状態に進入し、タイマーＴ３を作動させ、タイマーＴ３がタイムアップした後、ＯＮＵがダウンリンク信号を受信できていないと、ＯＮＵは現在のＴＷＤＭチャネルに対応する予備ＴＷＤＭチャネルに同調した後再び登録することができる。
【００８０】
そして、ＯＮＵがダウンリンク同期ロスを検出した後、ＯＮＵはＯ６状態に進入し、タイマーＴ２を作動させ、タイマーがタイムアップした後、ＯＮＵがダウンリンク信号を受信できていないと、ＯＮＵはＯ１状態に進入し、タイマーＴ３を作動させ、タイマーＴ３がタイムアップした後、ＯＮＵがダウンリンク信号を受信できていないと、ＯＮＵは波長同調状態Ｏ８に進入し、Ｏ８状態である時、ＯＮＵは現在のＴＷＤＭチャネルに対応する予備ＴＷＤＭチャネルに同調してダウンリンク信号を受信し、ＯＮＵはダウンリンク信号の同期を完成した後、距離測定状態Ｏ４又は運転状態Ｏ５に進入する。
【００８１】
ここで、動作しているＴＷＤＭチャネルに故障が発生した後、ＯＬＴは現在のＴＷＤＭチャネル内の全てのＯＮＵの伝送収束レイヤー配置情報を該チャネルに対応する予備ＴＷＤＭチャネルに伝送する。
【００８２】
ここで、ＯＮＵはＯ１状態に進入した後、自体の伝送収束レイヤー配置パラメータを保留し、ＯＮＵがタイマーＴ３がタイムアップする前にダウンリンク信号を受信した場合、ＯＮＵは自体の伝送収束レイヤー配置パラメータを消去し、ＯＮＵがタイマーＴ３がタイムアップした後にダウンリンク信号を受信できていないと、ＯＮＵは波長同調状態Ｏ８に進入し、また自体の伝送収束レイヤー配置パラメータを保留する。
【００８３】
そして、ＯＮＵが一定の時間内で現在の動作ＴＷＤＭチャネルでダウンリンク光信号を検出することができないと、ＯＮＵは現在の動作ＴＷＤＭチャネルに対応する保護ＴＷＤＭチャネルに同調して動作することは、ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵはＯ８状態（波長同調状態）に進入することを含むことができる。ＯＮＵは自体の伝送収束レイヤー配置パラメータを保留し、波長の同調を開始し、現在の動作しているＴＷＤＭチャネルに対応する予備ＴＷＤＭチャネルに同調し、同調を完成した後、ＯＮＵはＯ５又はＯ４状態に進入し、該チャネルで動作し始める。
【００８４】
そして、ＯＮＵが一定の時間内で現在の動作ＴＷＤＭチャネルでダウンリンク光信号を検出することができないと、ＯＮＵが現在の動作ＴＷＤＭチャネルに対応する保護ＴＷＤＭチャネルに同調して動作することは、ＯＮＵがダウンリンク信号を検出できない時、ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵは波長の同調を開始し、現在の動作しているＴＷＤＭチャネルに対応する予備ＴＷＤＭチャネルに同調し、同調を完成した後、ＯＮＵはＯ５又はＯ４状態に進入し、該チャネルで動作し始めることを含むことができる。
【００８５】
そして、ＯＮＵがダウンリンク光信号を検出することができないと、ＯＮＵはタイマーを作動させ、タイマーの時間になった時、ＯＮＵがダウンリンク光信号を検出することができないと、ＯＮＵはローカルに予備ＴＷＤＭチャネル情報を記憶しているか否かを判断し、予備ＴＷＤＭチャネル情報を記憶していると、ＯＮＵは予備ＴＷＤＭチャネルに同調し、予備ＴＷＤＭチャネル情報が記憶されていないと、ＯＮＵはＯ１状態に戻ることができる。
【００８６】
そして、ＯＬＴは各ＴＷＤＭチャネルに対応する予備ＴＷＤＭチャネル情報を動的に更新することができる。
【００８７】
本好適な実施例において、ＯＮＵの波長を同調することで保護スイッチングを実現することで、ＯＬＴの保護チャネル数量を減少し、保護スイッチングの需要によるＯＬＴコストを低減することができ、本発明の好適な実施例で提供する保護スイッチング方法によると、ＯＮＵが自体の保護チャネルのＴＷＤＭチャネルマーク値を取得できるので、ＯＮＵが保護スイッチングを行う必要があると判断した時、ＯＮＵは速やかに保護チャネルに同調して業務を回復することができる。
【００８８】
以下、図面と実例を結合して本好適な実施例を説明する。
【００８９】
実例１
ステップ１において、ＯＬＴは、各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値をＯＮＵに送信する。
【００９０】
そして、ＯＬＴは図７乃至図１２に示すメッセージの中の１種類をＯＮＵに送信することもできる。例えば、ＯＬＴは以下の方式の中の一つによって上記情報をＯＮＵに送信する。
【００９１】
方式１：ＯＬＴが定期的に全てのＴＷＤＭチャネルで図７、図８、図１０又は図１１に示す情報をＯＮＵに送信する。
【００９２】
方式２：ＯＬＴが定期的に各ＴＷＤＭチャネルで図８、図９、図１１又は図１２に示す情報を送信する。
【００９３】
ステップ２において、ＯＮＵが上記情報を記憶する。
【００９４】
ステップ３において、ＯＮＵがダウンリンク同期ロスを検出すると、ＯＮＵはＯ６状態に進入し、タイマーＴＯ２を作動させ、ＯＮＵがタイマーＴＯ２がタイムアップした後もダウンリンク信号を受信できていないと、ＯＮＵはＯ１状態に進入し、ＯＮＵがＯ１状態に進入し後、タイマーＴＯ３を作動させ、ＯＮＵがタイマーＴＯ３がタイムアップする前にダウンリンク信号を受信した場合、ＯＮＵは該ＴＷＤＭチャネルで登録を完成する。ＯＮＵがタイマーＴＯ３がタイムアップした後にもダウンリンク信号を受信できていないと、ＯＮＵは現在の動作しているＴＷＤＭチャネルに対応する予備ＴＷＤＭチャネルに同調し、同調を完成した後、ＯＮＵはＯ１状態に進入し、該チャネルで活性化を開始する。
【００９５】
そして、ＯＬＴは各ＴＷＤＭチャネルに対応する予備ＴＷＤＭチャネル情報を動的に更新することができる。
【００９６】
本実施例において、ＯＬＴが全てのＯＮＵから送信されたアップリンク信号を受信できない時、ＯＬＴが全ての現在のＴＷＤＭチャネルで動作しているＯＮＵに予備ＴＷＤＭチャネルに同調して保護スイッチングを行うことを通知することができる。コマンドを受信したＯＮＵは予備チャネルに同調して保護スイッチングを完成する。同調を完成した後、ＯＮＵはＯ１状態に進入し、該チャネルで活性化を開始し、又はＯＮＵはＯ４状態に進入して距離測定を行い、又はＯＮＵがＯ５状態に進入して直接に動作する。
【００９７】
実例２
ステップ１において、ＯＬＴは、各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値をＯＮＵに送信する。
【００９８】
そして、ＯＬＴは図７乃至図１２に示すメッセージの中の１種類をＯＮＵに送信することもできる。例えば、ＯＬＴは以下の方式の中の一つによって、上記情報をＯＮＵに送信することができる。
【００９９】
方式１：ＯＬＴが定期的に全てのＴＷＤＭチャネルで図７、図８、図１０又は図１１に示す情報をＯＮＵに送信する。
【０１００】
方式２：ＯＬＴが定期的に各ＴＷＤＭチャネルで図８、図９、図１１又は図１２に示す情報を送信する。
【０１０１】
ステップ２において、ＯＮＵが上記情報を記憶する。
【０１０２】
動作しているＴＷＤＭチャネルに故障が発生した後、ＯＬＴは、現在のＴＷＤＭチャネル内の全てのＯＮＵの伝送収束レイヤー配置情報を該チャネルに対応する予備ＴＷＤＭチャネルに伝送する。
【０１０３】
ステップ３において、ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵがＯ１状態に進入し、ＯＮＵがＯ１状態に進入し後、タイマーＴＯ３を作動させ、ＯＮＵがタイマーＴＯ３がタイムアップする前ダウンリンク信号を受信した場合、ＯＮＵは自体の伝送収束レイヤー配置パラメータを消去し、ＯＮＵは該ＴＷＤＭチャネルで登録を完成する。ＯＮＵがタイマーＴＯ３がタイムアップした後にもダウンリンク信号を受信できていないと、ＯＮＵは自体の伝送収束レイヤー配置パラメータを保留し、Ｏ８（波長同調状態）に進入して波長の同調を開始し、現在の動作しているＴＷＤＭチャネルに対応する予備ＴＷＤＭチャネルに同調し、同調を完成した後、ＯＮＵはＯ４状態に進入し、該チャネルで活性化を開始する。
【０１０４】
そして、ＯＬＴが各ＴＷＤＭチャネルに対応する予備ＴＷＤＭチャネル情報を動的に更新することができる。
【０１０５】
本実施例において、ＯＬＴが全てのＯＮＵから送信されたアップリンク信号を受信できない時、ＯＬＴが全ての現在のＴＷＤＭチャネルで動作しているＯＮＵに予備ＴＷＤＭチャネルに同調して保護スイッチングを行うことを通知することができる。コマンドを受信したＯＮＵは予備チャネルに同調して保護スイッチングを完成する。同調を完成した後、ＯＮＵはＯ１状態に進入し、該チャネルで活性化を開始し、又はＯＮＵはＯ４状態に進入して距離測定を行い、又はＯＮＵがＯ５状態に進入して直接に動作する。
【０１０６】
実例３
ステップ１において、ＯＬＴは、各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値をＯＮＵに送信する。
【０１０７】
そして、ＯＬＴは図７乃至図１２に示すメッセージの中の１種類をＯＮＵに送信することもできる。例えば、ＯＬＴは以下の方式の中の一つによって、上記情報をＯＮＵに送信することができる。
【０１０８】
方式１：ＯＬＴが定期的に全てのＴＷＤＭチャネルで図７、図８、図１０又は図１１に示す情報をＯＮＵに送信する。
【０１０９】
方式２：ＯＬＴが定期的に各ＴＷＤＭチャネルで図８、図９、図１１又は図１２に示す情報を送信する。
【０１１０】
ステップ２において、ＯＮＵが上記情報を記憶する。
【０１１１】
ステップ３において、動作しているＴＷＤＭチャネルに故障が発生した後、ＯＬＴは現在のＴＷＤＭチャネル内の全てのＯＮＵの伝送収束レイヤー配置情報を該チャネルに対応する予備ＴＷＤＭチャネルに伝送する。ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵはＯ１状態に進入し、ＯＮＵがＯ１状態に進入し後、タイマーＴＯ３を作動させ、ＯＮＵがタイマーＴＯ３がタイムアップする前にダウンリンク信号を受信した場合、ＯＮＵは自体の伝送収束レイヤー配置パラメータを消去し、ＯＮＵは該ＴＷＤＭチャネルで登録を完成する。ＯＮＵがタイマーＴＯ３がタイムアップした後にもダウンリンク信号を受信できていないと、ＯＮＵは自体の伝送収束レイヤー配置パラメータを保留し、Ｏ８（波長同調状態）に進入して波長の同調を開始し、現在の動作しているＴＷＤＭチャネルに対応する予備ＴＷＤＭチャネルに同調し、同調を完成した後、ＯＮＵはＯ５状態に進入して該チャネルで動作し始める。
【０１１２】
そして、ＯＬＴが各ＴＷＤＭチャネルに対応する予備ＴＷＤＭチャネル情報を動的に更新することができる。
【０１１３】
本実施例において、ＯＬＴが全てのＯＮＵから送信されたアップリンク信号を受信できない時、ＯＬＴが全ての現在のＴＷＤＭチャネルで動作しているＯＮＵに予備ＴＷＤＭチャネルに同調して保護スイッチングを行うことを通知することができる。コマンドを受信したＯＮＵは予備チャネルに同調して保護スイッチングを完成する。同調を完成した後、ＯＮＵはＯ１状態に進入し、該チャネルで活性化を開始し、又はＯＮＵはＯ４状態に進入して距離測定を行い、又はＯＮＵがＯ５状態に進入して直接に動作する。
【０１１４】
実例４
ステップ１において、ＯＬＴは、各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値をＯＮＵに送信する。
【０１１５】
そして、ＯＬＴは図７乃至図１２に示すメッセージの中の１種類をＯＮＵに送信することもできる。例えば、ＯＬＴは以下の方式の中の一つによって、上記情報をＯＮＵに送信することができる。
【０１１６】
方式１：ＯＬＴが定期的に全てのＴＷＤＭチャネルで図７、図８、図１０又は図１１に示す情報をＯＮＵに送信する。
【０１１７】
方式２：ＯＬＴが定期的に各ＴＷＤＭチャネルで図８、図９、図１１又は図１２に示す情報を送信する。
【０１１８】
ステップ２において、ＯＮＵが上記情報を記憶する。
【０１１９】
ステップ３において、動作しているＴＷＤＭチャネルに故障が発生した後、ＯＬＴは現在のＴＷＤＭチャネル内の全てのＯＮＵの伝送収束レイヤー配置情報を該チャネルに対応する予備ＴＷＤＭチャネルに伝送する。ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵはＯ８状態（波長同調状態）に進入する。ＯＮＵは自体の伝送収束レイヤー配置パラメータを保留し、波長の同調を開始し、現在の動作しているＴＷＤＭチャネルに対応する予備ＴＷＤＭチャネルに同調し、同調を完成した後、ＯＮＵはＯ５又はＯ４状態に進入し、該チャネルで動作し始める。
【０１２０】
そして、ＯＬＴが各ＴＷＤＭチャネルに対応する予備ＴＷＤＭチャネル情報を動的に更新することができる。
【０１２１】
本実施例において、ＯＬＴが全てのＯＮＵから送信されたアップリンク信号を受信できない時、ＯＬＴが全ての現在のＴＷＤＭチャネルで動作しているＯＮＵに予備ＴＷＤＭチャネルに同調して保護スイッチングを行うことを通知することができる。コマンドを受信したＯＮＵは予備チャネルに同調して保護スイッチングを完成する。同調を完成した後、ＯＮＵはＯ１状態に進入し、該チャネルで活性化を開始し、又はＯＮＵはＯ４状態に進入して距離測定を行い、又はＯＮＵがＯ５状態に進入して直接に動作する。
【０１２２】
実例５
ステップ１において、ＯＬＴは各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値をＯＮＵに送信する。
【０１２３】
そして、ＯＬＴは図７乃至図１２に示すメッセージの中の１種類をＯＮＵに送信することもできる。例えば、ＯＬＴは以下の方式の中の一つによって、上記情報をＯＮＵに送信することができる。
【０１２４】
方式１：ＯＬＴが定期的に全てのＴＷＤＭチャネルで図７、図８、図１０又は図１１に示す情報をＯＮＵに送信する。
【０１２５】
方式２：ＯＬＴが定期的に各ＴＷＤＭチャネルで図８、図９、図１１又は図１２に示す情報を送信する。
【０１２６】
ステップ２において、ＯＮＵが上記情報を記憶する。
【０１２７】
ステップ３において、動作しているＴＷＤＭチャネルに故障が発生した後、ＯＬＴは現在のＴＷＤＭチャネル内の全てのＯＮＵの伝送収束レイヤー配置情報を該チャネルに対応する予備ＴＷＤＭチャネルに伝送する。ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵは波長の同調を開始し、現在の動作しているＴＷＤＭチャネルに対応する予備ＴＷＤＭチャネルに同調し、同調を完成した後、ＯＮＵはＯ５又はＯ４状態に進入し、該チャネルで動作し始める。
【０１２８】
そして、ＯＬＴが各ＴＷＤＭチャネルに対応する予備ＴＷＤＭチャネル情報を動的に更新することができる。
【０１２９】
本実施例において、ＯＬＴが全てのＯＮＵから送信されたアップリンク信号を受信できない時、ＯＬＴが全ての現在のＴＷＤＭチャネルで動作しているＯＮＵに予備ＴＷＤＭチャネルに同調して保護スイッチングを行うことを通知することができる。コマンドを受信したＯＮＵは予備チャネルに同調して保護スイッチングを完成する。同調を完成した後、ＯＮＵはＯ１状態に進入し、該チャネルで活性化を開始し、又はＯＮＵはＯ４状態に進入して距離測定を行い、又はＯＮＵがＯ５状態に進入して直接に動作する。
【０１３０】
実例６
ステップ１において、ＯＬＴは各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値を含む各ＴＷＤＭチャネルに対応する予備ＴＷＤＭチャネル情報をＯＮＵに送信する。
【０１３１】
そして、ＯＬＴは図７乃至図１２に示すメッセージの中の１種類をＯＮＵに送信することもできる。例えば、ＯＬＴは以下の方式の中の一つによって、上記情報をＯＮＵに送信することができる。
【０１３２】
方式１：ＯＬＴが定期的に全てのＴＷＤＭチャネルで図７、図８、図１０又は図１１に示す情報をＯＮＵに送信する。
【０１３３】
方式２：ＯＬＴが定期的に各ＴＷＤＭチャネルで図８、図９、図１１又は図１２に示す情報を送信する。
【０１３４】
ステップ２において、ＯＮＵが上記情報を記憶する。
【０１３５】
ステップ３において、ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵはローカルに予備ＴＷＤＭチャネル情報を記憶しているか否かを判断し、予備ＴＷＤＭチャネル情報を記憶していると、ＯＮＵは予備ＴＷＤＭチャネルに同調し、予備ＴＷＤＭチャネル情報を記憶していないと、ＯＮＵはＯ１状態に戻る。
【０１３６】
本実施例において、予備ＴＷＤＭチャネル情報を記憶していると、ＯＮＵは予備ＴＷＤＭチャネルに同調する。ＯＮＵはＯ６状態から波長同調状態に遷移し、波長同調状態で予備ＴＷＤＭチャネルへの同調を完成し、又はＯＮＵはＯ６状態で予備ＴＷＤＭチャネルへの同調を完成し、又はＯＮＵがＯ６状態からＯ１状態に遷移し、Ｏ１状態で予備ＴＷＤＭチャネルへの同調を完成することができる。
【０１３７】
本実施例において、ＯＮＵは予備ＴＷＤＭチャネルに同調した後、ＯＮＵはＯ１状態（初期状態）、Ｏ４状態（距離測定状態）又はＯ５状態（運転状態）に進入することができる。
【０１３８】
本実施例において、ＯＬＴが全てのＯＮＵから送信されたアップリンク信号を受信できない時、ＯＬＴが全ての現在のＴＷＤＭチャネルで動作しているＯＮＵに予備ＴＷＤＭチャネルに同調して保護スイッチングを行うことを通知することができる。コマンドを受信したＯＮＵは予備チャネルに同調して保護スイッチングを完成する。同調を完成した後、ＯＮＵはＯ１状態に進入し、該チャネルで活性化を開始し、又はＯＮＵはＯ４状態に進入して距離測定を行い、又はＯＮＵがＯ５状態に進入して直接に動作する。
【０１３９】
実例７
ステップ１において、ＯＬＴは、各ＴＷＤＭチャネルに対応する予備ＴＷＤＭチャネルマーク、又は予備ＴＷＤＭチャネルに対応するアップリンク波長マークとダウンリンク波長マーク、又は予備ＴＷＤＭチャネルに対応するアップリンク波長値とダウンリンク波長値を含む各ＴＷＤＭチャネルに対応する予備ＴＷＤＭチャネル情報をＯＮＵに送信する。
【０１４０】
そして、ＯＬＴは図７乃至図１２に示すメッセージの中の１種類をＯＮＵに送信することもできる。例えば、ＯＬＴは以下の方式の中の一つによって、上記情報をＯＮＵに送信することができる。
【０１４１】
方式１：ＯＬＴが定期的に全てのＴＷＤＭチャネルで図７、図８、図１０又は図１１に示す情報をＯＮＵに送信する。
【０１４２】
方式２：ＯＬＴが定期的に各ＴＷＤＭチャネルで図８、図９、図１１又は図１２に示す情報を送信する。
【０１４３】
ステップ２において、ＯＮＵが上記情報を記憶する。
【０１４４】
ステップ３において、ＯＮＵがダウンリンク同期ロスを検出すると、ＯＮＵはＯ６状態に進入し、タイマーＴＯ２を作動させ、ＯＮＵがタイマーＴＯ２がタイムアップした後にもダウンリンク信号を受信できていないと、ＯＮＵはＯ１状態に戻り、またＯＮＵは予備ＴＷＤＭチャネルに同調し、ＯＮＵが予備ＴＷＤＭチャネルで活性化し始める。
【産業上の利用可能性】
【０１４５】
本発明の実施例によると、ＯＮＵが第１のＴＷＤＭチャネルのチャネル情報を取得し、ここで、第１のＴＷＤＭチャネルのチャネル情報は第１のＴＷＤＭチャネルのアップリンク波長及び／又はダウンリンク波長を指示するためのものであって、ＯＮＵが第１のＴＷＤＭチャネルのチャネル情報に基づいて、該ＯＮＵのアップリンク波長及び／又はダウンリンク波長を第１のＴＷＤＭチャネルのアップリンク波長及び／又はダウンリンク波長に同調する方式によって、ＴＷＤＭ  ＰＯＮシステムの各ＴＷＤＭチャネルのために予備チャネルをわざわざ構築して業務保護を提供してコストが高くなる問題を解決し、ＴＷＤＭ  ＰＯＮシステムを配置するコストを低減する。
【０１４６】
上記した本発明の各手段又は各ステップを共通の計算装置によって実現することができ、単独の計算装置に集中させることができれば、複数の計算装置から構成されるネットワークに分布させることもでき、さらに計算装置が実行可能なプログラムコードによって実現することもできるので、それらを記憶装置に記憶させて計算装置によって実行することができ、又は夫々集積回路手段に製作し、又はそれらの中の複数の手段又はステップを単一の集積回路手段に製作して実現できることは当業者にとって明らかなことである。このように、本発明は如何なる特定のハードウェアとソフトウェアの結合にも限定されない。
【０１４７】
以上は、本発明の好適な実施例に過ぎず、本発明を限定するものではない。当業者であれば本発明に様々な修正や変形が可能である。本発明の精神や原則内での全ての修正、置換、改良などは本発明の保護範囲内に含まれる。
【図１】
0006360181.tif 000002
【図２】
0006360181.tif 000003
【図３】
0006360181.tif 000004
【図４】
0006360181.tif 000005
【図５】
0006360181.tif 000006
【図６】
0006360181.tif 000007
【図７】
0006360181.tif 000008
【図８】
0006360181.tif 000009
【図９】
0006360181.tif 000010
【図１０】
0006360181.tif 000011
【図１１】
0006360181.tif 000012
【図１２】
0006360181.tif 000013